(57)【要約】  バンドと、随意的なバーと、抗ピンチプレートとを含む止血帯システムが提供される。バーは、第１端と、中間部と、第２端と、バンドを受け且つ挿通させ得るようにバンドに形成した少なくとも１つの孔と、第１端部及び第２端部の少なくとも一方から伸延する少なくとも１つの錠止用突起と、を有する材料の細長部分を含む。抗ピンチプレートが、バンドを受け且つ挿通させ得るように形成した１つ以上のバンド受け用の孔を含み、抗ピンチプレートが、該抗ピンチプレートの実質的に縁部に沿って形成した１つ以上の錠止用切り欠きを含み、各錠止用切り欠きが、バーの少なくとも一部を抗ピンチプレートに固定するための手段を提供する。
2010509025.tif 000002
【特許請求の範囲】
【請求項１】
止血帯システムであって、
第１端部及び第２端部を有するバンドと、
バーにして、第１端と、中間部と、第２端と、バンドを受け且つバンドを挿通し得るように該バーに形成した少なくとも１つの孔と、第１端又は第２端の少なくとも一方から伸延する少なくとも１つの錠止用突起と、を有する材料の細長部分を含むバーと、
抗ピンチプレートにして、バンドを受け且つバンドを通し得るように形成した１つ以上のバンド受け用の孔を含み、該抗ピンチプレートの縁部に実質的に沿って形成した１つ以上の錠止用切り欠きを含み、該錠止用切り欠きが、バーの少なくとも一部分を抗ピンチプレートに固定するための手段を提供し、
バンドの各部が１つ以上のバンド受け用の孔に挿通されることにより抗ピンチプレートに関するバンドの位置が維持され、
バンドの第１端部がバーに形成した少なくとも１つの孔に挿通され、バンドの第２端部がバーに形成した少なくとも１つの孔に挿通され、
抗ピンチプレートがバーの下方に位置決めされることにより、バーを回転させることによりバンドが締め付けられる際に材料がコブ状になる又はバンド内に撚り込まれるのが制限又は防止される止血帯システム。
【請求項２】
バンドが約２．５４ｃｍ又はそれ以上の幅を有する請求項１の止血帯システム。
【請求項３】
バンドが実質的に非弾性の材料から形成される請求項１の止血帯システム。
【請求項４】
バンドが実質的に弾性の部分を含む請求項１の止血帯システム。
【請求項５】
バンドが、所望の四肢の外周に沿って位置決めされ且つバーと係合し得るに十分な長さを有する請求項１の止血帯システム。
【請求項６】
バンドの第１端部及び第２端部が連結して連続するバンドを形成する請求項１の止血帯システム。
【請求項７】
バーがその長さ部分に渡り湾曲している請求項１の止血帯システム。
【請求項８】
バーがその長さ部分に渡り実質的に平坦である請求項１の止血帯システム。
【請求項９】
バーの中間部に少なくとも１つの孔が形成される請求項１の止血帯システム。
【請求項１０】
バーの端部近くに少なくとも１つの孔が形成される請求項１の止血帯システム。
【請求項１１】
バーに形成される少なくとも１つの孔が、受けられたバンドがバーの長手方向軸と平行となる状態下に配向されるように形成される請求項１の止血帯システム。
【請求項１２】
バーに形成される少なくとも１つの孔が、受けられたバンドがバーの長手方向軸と直交する状態下に配向されるように形成される請求項１の止血帯システム。
【請求項１３】
少なくとも１つの錠止用突起が、第１端部及び第２端部の少なくとも一方から伸延する実質的に“Ｔ”字形の延長部を含む請求項１の止血帯システム。
【請求項１４】
少なくとも１つの錠止用突起が、第１端部又は第２端部近くに形成した錠止用インデントにより確定される請求項１の止血帯システム。
【請求項１５】
抗ピンチプレートがその長さ部分に渡り湾曲される請求項１の止血帯システム。
【請求項１６】
抗ピンチプレートがその長さ部分に渡り実質的に平坦である請求項１の止血帯システム。
【請求項１７】
バンド受け用の孔が、受けたバンドが抗ピンチプレートの長手方向軸と平行な状態に配向されるように形成される請求項１の止血帯システム。
【請求項１８】
バンド受け用の孔が、受けたバンドが抗ピンチプレートの長手方向軸と直交する状態に配向されるように形成される請求項１の止血帯システム。
【請求項１９】
錠止用切り欠きが抗ピンチプレートの縁部により形成される請求項１の止血帯システム。
【請求項２０】
錠止用切り欠きが、抗ピンチプレートに取り付け又は連結したコード又はバンド材料を含む請求項１の止血帯システム。
【請求項２１】
少なくとも１つの錠止用突起が、止血帯システムの不使用時に錠止用切り欠きと相互作用してバーを抗ピンチプレートに釈放自在に固定し得るように形成される請求項１の止血帯システム。
【請求項２２】
抗ピンチプレートが、衣類への抗ピンチプレートの縫い付け自在の取り付けを支援する縫い付け自在部分を含む請求項１の止血帯システム。
【請求項２３】
止血帯システムに追加的な緩衝性を提供するべく抗ピンチプレートの下方に位置決めしたパッドを更に含む請求項１の止血帯システム。
【請求項２４】
抗ピンチプレートが衣類に取り付けられる請求項１の止血帯システム。
【請求項２５】
止血帯システムがズボンの脚部の上方部分近くに位置付けられる請求項２４の止血帯システム。
【請求項２６】
止血帯システムがズボンの脚部の下方部分近くに位置付けられる請求項２４の止血帯システム。
【請求項２７】
止血帯システムがシャツの腕部の上方部分近くに位置付けられる請求項２４の止血帯システム。
【請求項２８】
止血帯システムがシャツの腕部の下方部分近くに位置付けられる請求項２４の止血帯システム。
【請求項２９】
抗ピンチプレートが衣類の外側部分に取り付け又は連結される請求項２４の止血帯システム。
【請求項３０】
抗ピンチプレートが衣類の内側部分に取り付け又は連結される請求項２４の止血帯システム。
【請求項３１】
少なくとも１つの止血帯システムが衣類の内部に埋設され、該埋設した少なくとも１つの止血帯システムのバンドの少なくとも一部分が、衣類の内側表面の少なくとも１つに形成したチャンネルの内部に維持されることにより止血帯システムが衣類及び又は止血帯システム装着者の身体に関する所望の位置に維持される請求項１の止血帯システム。
【請求項３２】
バンドの少なくとも一部分が、衣類の内側表面の周囲の少なくとも一部分の周囲に形成した一連のループにより衣類の内部に維持される請求項３１の止血帯システム。
【請求項３３】
止血帯システムの非使用時に止血帯システムを保護するように作用し、また止血帯システム使用時には止血帯システムの少なくともバーへのアクセスを許容するフラップによってバーが覆われる請求項３１の止血帯システム。
【請求項３４】
止血帯システムの非使用時に止血帯システムを保護するように作用し、また止血帯システム使用時には止血帯システムの少なくともバーへのアクセスを許容するアクセス用の孔によってバーが覆われる請求項３１の止血帯システム。
【請求項３５】
フラップが、ズボンの主ポケットの少なくとも一部を含む請求項３１の止血帯システム。
【請求項３６】
止血帯システムであって、
第１端部及び第２端部を有するバンドと、
抗ピンチプレートにして、実質的にその縁部に沿って形成した１つ以上の錠止用切り欠きを含む抗ピンチプレートと、
を含み、
錠止用切り欠きが、バーの少なくとも一部を抗ピンチプレートに固定するための手段を提供し、
抗ピンチプレートがバンドの下方に配置されることにより、バンドと抗ピンチプレートとの間に配置したバーを回転させてバンドを締め付ける際に材料がコブ状になる又はバンドに撚り込まれるのを制限又は防止する止血帯システム。
【請求項３７】
抗ピンチプレートが１つ以上のバンド受け用の孔を含み、該孔が、バンドを受け且つ該孔に挿通し得るように形成され、バンドの各部分を１つ以上のバンド受け用の孔に挿通させることにより、抗ピンチプレートに関するバンドの位置が維持される請求項３６の止血帯システム。
【請求項３８】
バンドの各端部が抗ピンチプレートの周囲に伸延される請求項３６の止血帯システム。
【請求項３９】
バンドが第１及び第２の各バンドを含み、該第１及び第２の各バンドが離間した各位置で相互に固定され、各固定位置間に於て第１のバンドと第２のバンドとの間にトンネルセグメントが形成され、該トンネルセグメントの少なくとも幾つかがその内部にバーを受け得るようになっている請求項３６の止血帯システム。
【請求項４０】
止血帯システムであって、
第１端部及び第２端部を有するバンドと、
バーにして、第１端と、中間部と、第２端と、バンドを受け且つ該バンドを挿通し得るようにバーに形成した少なくとも１つの孔と、第１端及び第２端の少なくとも一方から伸延する少なくとも１つの錠止用突起と、を有する材料の細長部分と、
抗ピンチプレートと、
を含み、
抗ピンチプレートが一つ以上のバンド受け用孔を含み、該バンド受け用孔がバンドを受け且つ挿通させるようになっており、
抗ピンチプレートが、該抗ピンチプレートに取り付け又は連結したコード又はバンド材料の１つ以上の部分を含み、
バンドの一部が１つ以上のバンド受け用の孔に挿通されることにより抗ピンチプレートに関するバンドの位置が維持され、
第１端部が、バーに形成した少なくとも１つの孔に挿通され、第２端部が、バーに形成した少なくとも１つの孔に挿通され、
抗ピンチプレートが、バーの下方に配置されることにより、バーを回転させてバンドを締め付ける際に材料がコブ状になる又はバンドに撚り込まれるのが制限又は防止される止血帯システム。
【請求項４１】
止血帯システムであって、
第１端部及び第２端部を有するバンドと、
バーにして、第１端と、中間部と、第２端と、バンドを受け且つバンドを挿通し得るようにバンドに形成した少なくとも１つの孔と、第１端及び第２端の少なくとも一方から伸延する少なくとも１つの錠止用突起と、を有する、材料の細長部分を含むバーと、
抗ピンチプレートと、
を含み、
抗ピンチプレートが、１つ以上の錠止用切り欠きを含み、該錠止用切り欠きがバーの少なくとも一部分を抗ピンチプレートに固定するための手段を提供し、
バンドの一部が抗ピンチプレートの周囲に伸延されることにより、抗ピンチプレートに関するバンドの位置が維持され、
抗ピンチプレートがバーの下方に配置されることにより、バーを回転させてバンドを締め付ける際に材料がコブ状になる又はバンドに撚り込まれるのが制限又は防止される止血帯システム。
【発明の詳細な説明】
【技術分野】
【０００１】
本発明は、一般に止血帯に関し、詳しくは、止血帯及び抗ピンチプレートを有する止血帯システムに関する。本発明は、止血帯システムと組み合わせて使用できる色々の衣類にも関連する。
【背景技術】
【０００２】
止血帯は、一般に、血管を強く圧迫して止血させる際に身体の一部の周囲にあてがってきつく結んだバンド（例えば、腕や足の周りに巻き付け、捩ることによりきつく締め付けた包帯）のことであり、代表的には、他の方法では止血できない場合や数秒〜数分以内に死亡する程の失血量がある場合の窮余の策として使用される。
止血帯を使用すると四肢の当該使用部分よりも下流側への血流が止まるため、無酸素症を発症して四肢の少なくとも一部分が死に、止血帯を当てた位置よりも下方の四肢部分を外科的に切断せざるを得ない場合がある。止血帯を数時間使用するとこうした状況が起きやすくなる。
【０００３】
止血帯の使用は、それが可能であれば緊急医療の専門家又は好ましくは医者が決定すべきであるが、厳しい出血を止める方法が他に無く、止血帯を使用しないと助からない場合は、時間的制限から負傷者自身がその使用を決断する必要がある。
例えば、現代の戦場では胴部への外傷が防弾着によって守られる傾向があるので、四肢の傷口から命に関わる出血を生じる場合が普通である。爆発による四肢の傷の場合切断口がきれいな又は修復可能なものは希であるが、そうした大きな傷口から動脈性出血がある時は素早く止血帯を装着すれば死を免れ得る。
【０００４】
現代の戦場での全死者数の凡そ７０％は四肢の外傷によるものと考えられている。残念なことに医療処置はいつでもすぐに受けられる訳ではなく、負傷者が自分の傷を又は直ぐ側にいる誰かがその友人の傷を手当てする必要があり、即席爆発装置の使用量が急増している状況では特にそうなる。防弾着は胴部を保護し、少なくとも頭部を胴部ほどではなく保護するが四肢は保護しないので、防弾着の着用者は四肢に重度の裂傷を負うことが多い。しかしそうした裂傷による大量の失血は、然るべき位置に止血帯を素早く取り付ければ回避できる。
止血帯は戦闘で負傷した状況下に使用される頻度が高いため、兵士の大半は今や個人用救急救命キットの１つとして止血帯を持ち歩く必要があり、今や、四肢からの生命に係わる出血を止血帯の“迅速且つ断固たる”使用により制御することは兵士用の救急救命訓練で取り扱う代表項目となっている。
【発明の概要】
【発明が解決しようとする課題】
【０００５】
しかしながら、既知の止血帯はバンドとバーのみを含み、負傷した腕又は足の周囲で傷の上部にバンドを位置決めして装着するものである。バンドを位置決めした後、別個のバーをバンドと四肢との間に配置して回転させる。バーを回転させるとバンドはねじれて縮み、四肢（及び四肢内の血管）を強く圧迫して止血帯を取り付けた部分以降の四肢部分の血流を低下させる。
【０００６】
また、各兵士が自分用の救急救命キットをパーソナライズ化する程度によっては止血帯の所持位置が兵士毎に大きく異なり得るため、仲間の兵士又は同行の医療援助者が止血帯の取り付けサイクル又は努力を完了する時間が長引いてしまう。
負傷した兵士が所持していた止血帯が本人から脱離すると、兵士本人又は同行の医療援助者は、止血帯の取り付けよりはむしろ止血帯を探す方に時間を取られることになる。
負傷した、衰弱したユーザーが自分で止血帯を取り付けざるを得ない場合もある。残念なことに、特に緊張していると、止血帯を探し出して正しく取り付ける又は有効利用するのは困難であり得る。
【０００７】
更には、既知の止血帯は野外では誰か、例えば、同行の医療援助者又は潜在ユーザーがしばしばポーチ又はパックに入れて所持する。止血帯へのアクセス及び又は配置に時間が掛かるのは生命の脅威となり得る。負傷者の傷及び又は居場所が止血帯へのアクセスや取り付けの妨げとなる場合もある。
残念なことに、既知の止血帯では、そのバンドを捩ると、止血帯が締め付けられるに従ってユーザーの皮膚（止血帯を素肌を覆って取り付ける場合）又は衣類（止血帯を衣類を覆って取り付ける場合）のような材料又は物質がコブ状となり及び又はバンド内に撚り込まれる傾向がある。詰め物をした衣類は止血帯による血流を停止させるための充分な圧力の行使の妨げとなり、皮膚がバンド内に撚り込まれるとユーザーの傷が大きくなる恐れもある。
【課題を解決するための手段】
【０００８】
かくして、本発明は一般に止血帯に関し、特には、止血帯バンドと抗ピンチプレートとを有する止血帯システムに関し、また、各実施例において、本止血帯システムと組み合わせ使用可能な種々の衣類にも関する。
本発明の種々の様相に従えば、各実施例において、本発明は、止血帯バンド内への材料（皮膚、止血帯ウェブ、及び又は繊維）撚り込みの恐れなく止血帯バンドを締着させ得る抗ピンチプレートを含む。
各非限定的実施例において、本発明の止血帯システムは、止血帯システムの一体部品であるバーを含む。
各実施例において、本発明は重度裂傷に対処する現在の方法やシステムに関する先に説明した欠点の幾つかを緩和し且つ有益な幾つかの特徴が組み込まれる。
【０００９】
本発明の止血帯システムは独立型システムとして機能するように設計され得るが、各非限定的実施例において、本発明の止血帯システムは衣類に組み込まれ又は衣類の一体部品として含まれ得、また、もっと伝統的な衣類、例えばシャツ又はジャケットに組み込み得る。更には、止血帯システムは、その他の伝統的又は非伝統的な衣類、例えば、ハーネス、ボディーフィットフレームワーク、サスペンションシステム、ロングジョンタイプの形態のもの、自転車タイプのもの又はエクササイズショーツ、コンプレッションショート又はシャツ、ウェットスーツ、スカイダイビング用衣類、ハズマットスーツ、予圧服、フライトスーツ、ハンティングアパレル、オーバーオール、カバーオール、特殊にフォーム又はスーツ、保護用カバー付きの従来の衣類、及び又は、任意のその他衣類、準衣類（ｑｕａｓｉ−ｇａｒｍｅｎｔ）、又は、１つ以上の止血帯を装着者の胴部に関して比較的固定した位置に維持できる衣類物品、に組み込み得る。
例えば、本発明の止血帯システムは、鮫の襲撃に備えてのウェットスーツ、地上からは容易に近づけない場所に降下する時に着るスカイダイビング衣類、又は、負傷者支援用人員が容易には立ち入れない汚染状況下でユーザーが着るハズマットスーツ、に組み込み得る。
【００１０】
各非限定的実施例では止血帯システムは、例えば、ユーザーの位置及び又は使用している特定の止血帯システムの識別に関する情報を含む警告を送るために使用する場合に動作する付属型トランスミッタをも含み得る。
その他の実施例には、止血帯の装着者が、例えば、所望の止血帯位置で、手で押さなくとも圧縮力を増大させ得る空気圧式止血帯が含まれ得る。
追加的な実施例のあるものでは、本発明の止血帯システムでは積層形衣類を使用可能であり、積層された各衣類が、１つ以上の埋設型止血帯へのアクセスを可能とする。
各非限定的実施例において、本発明によれば、ユーザーの快適性、ユーザーの医療の重さ、又は、ユーザーの、環境との相互作用を介しての移動性、を犠牲にすることなく、各ユーザーが最も必要とする医療品が提供される。
【００１１】
各非限定的実施例において、本発明によれば、１つ以上の止血帯が特定の場所に配置され、かくして、大量の出血を止めるに要する圧力量が低減され得る。
各非限定的実施例において、本発明の止血帯は衣類に一体化するように配置され、ほぼ使用位置に配置され得る。
抗ピンチプレートが含まれることで、使用時の止血帯システム１００の安定性が増し、広い取り付け範囲に良好な合計圧力が付加され、病巣組織損傷（ｆｏｃａｌ  ｔｉｓｓｕｅ  ｄａｍａｇｅ）が制限される。これにより、止血帯システムを取り付けた際の痛みが、既知のものの場合と比較して軽くなる。抗ピンチプレートは、止血帯システムによって捕捉される皮膚、皮膚及びコブ状化した衣類、又は、止血帯ウェブ、に関連する損傷をも制限し得る。
【００１２】
本発明によれば、設計上改善された止血帯システムが提供される。
【００１３】
本発明によれば、改善された締め付け及び固着機構を有する止血帯システムが提供される。
本発明によれば、抗ピンチプレートを有する止血帯システムが提供される。
本発明によれば、片手で運転及び操作可能な止血帯システムが提供される。
本発明によれば、取り付け及び又は係合及び取り外しが容易な止血帯システムが提供される。
本発明によれば、取り付け方向を容易に逆転させ得る止血帯システムが提供される。
【００１４】
本発明によれば、軽量で且つ身体の輪郭に対して比較的フラットな、比較的嵩張らない止血帯システムが提供される。
本発明によれば、野外で容易に使用できる止血帯システムが提供される。
本発明によれば、ユーザーが余分の止血帯システムを容易に所持できるようにするに十分コンパクトな止血帯システムが提供される。
本発明によれば、ユーザーの身体の“然るべき位置”に所持され得る止血帯システムが提供される。
本発明によれば、手足毎に複数の止血帯システムを取り付け、各止血帯システムを、四肢の最大部分が助かるように良好に位置付けする止血帯システムが提供される。
本発明によれば、“捕捉された”又はアクセスできない四肢に対して使用できる止血帯システムが提供される。
本発明によれば、既存の衣類に後付可能な止血帯システムが提供される。
本発明によれば、着衣者又は衛生兵が容易にアクセスできる衣類又は衣類セットが提供される。
【００１５】
本発明によれば、四肢に対する圧力を発生及び維持可能であるが、衣類の、例えばポケット内の物品又はある場合には衣類素材によってさえ圧力が阻止され得る衣類に対して圧力を発生及び維持させない止血帯システムが提供される。
本発明によれば、１つ以上の埋め込み型の止血帯システムを有し得る衣類が提供される。
本発明によれば、装着者の四肢に関する有利な位置に組み込んだ１つ以上の埋め込み型の止血帯システムを有し得る衣類が提供される。
本発明によれば、衣類の内側表面に埋め込んだ１つ以上の埋め込み型止血帯システムを有し得る衣類が提供される。
【００１６】
本発明によれば、衣類の外側表面に埋め込んだ１つ以上の埋め込み型止血帯システムを有し得る衣類が提供される。
本発明によれば、衣類に内臓したつ以上の埋め込み型止血帯システムが提供される。
本発明によれば、各止血帯の締め付け及び固定機構へのアクセスを提供する衣類が提供される。
【発明の効果】
【００１７】
本発明によれば、上述した従来品の問題を解消する止血帯システム等が提供される。
【図面の簡単な説明】
【００１８】
【図１】図１は、本発明に従う止血帯システムの第１実施例の斜視図である。
【図２Ａ】図２Ａは、抗ピンチプレートの第１実施例の斜視図である。
【図２Ｂ】図２Ｂは、抗ピンチプレートの第１実施例の側面図である。
【図３】図３は、本発明に従うバーの第１実施例の平面図である。
【図４Ａ】図４Ａは、止血帯システムの取り付けの初期段階を例示する本発明に従う止血帯システムの第１実施例の斜視図である。
【図４Ｂ】図４Ｂは、止血帯システムの取り付けの次の段階を例示する本発明に従う止血帯システムの第１実施例の斜視図である。
【図４Ｃ】図４Ｃは、止血帯システムの取り付けの引き続く段階を例示する本発明に従う止血帯システムの第１実施例の斜視図である。
【図４Ｄ】図４Ｄは、止血帯システムの取り付け上考え得る第１の最終段階を例示する本発明に従う止血帯システムの第１実施例の斜視図である。
【図４Ｅ】図４Ｅは、止血帯システムの取り付け上考え得る第２の最終段階を例示する本発明に従う止血帯システムの第１実施例の斜視図である。
【図５】図５は、本発明に従う止血帯システムの第２実施例の斜視図である。
【図６】図６は、本発明に従う止血帯システムの第３実施例の斜視図である。
【図７】図７は、本発明に従う止血帯システムの第４実施例の斜視図である。
【図８Ａ】図８Ａは、止血帯システムの取り付けの初期段階を例示する本発明に従う止血帯システムの第５実施例の斜視図である。
【図８Ｂ】図８Ｂは、止血帯システムの取り付けの次の段階を例示する本発明に従う止血帯システムの第５実施例の斜視図である。
【図８Ｃ】図８Ｃは、止血帯システムの取り付けの引き続く段階を例示する本発明に従う止血帯システムの第５実施例の斜視図である。
【図８Ｄ】図８Ｄは、止血帯システムの取り付け上考え得る第１の最終段階を例示する本発明に従う止血帯システムの第５実施例の斜視図である。
【図９】図９は、ズボン内に組み込んだ本発明に従う止血帯システムの実施例の斜視図である。
【図１０】図１０は、ズボン内に組み込んだ本発明に従う止血帯システムの使用状況を示す斜視図である。
【図１１】図１１は、出血を制御する圧力を加えるための、考え得る体位置例を示す例示図である。
【図１２】図１２は、シャツに組み込んだ本発明に従う止血帯システムの実施例の使用状況を示す斜視図である。
【図１３】図１３は、本発明に従う止血帯システムの構成部品の第６実施例の斜視図である。
【図１４】図１４は、本発明に従う止血帯システムの構成部品の第７実施例の斜視図である。
【図１５】図１５は、本発明に従う止血帯システムの構成部品の第８実施例の斜視図である。
【図１６】図１６は、本発明に従う止血帯システムの構成部品の第９実施例の斜視図である。
【発明を実施するための形態】
【００１９】
簡略化及び明瞭化のために、本発明に従う止血帯システム及び又は止血帯支持用の衣類の設計ファクター及び操作原理は、止血帯システム及び又は止血帯支持用衣類の種々の実施例を参照して説明される。止血帯システム及び又は止血帯支持用衣類の設計ファクター及び操作原理の基本的説明は、止血帯システム及び又は止血帯支持用衣類の設計及び操作に対して適用されるものとする。
【００２０】
ここで、“衣類”とは、本発明のシステム、方法及び装置の操作の基本的説明及び基本的理解のために使用されるものとする。従って、“衣類”とは、本発明のシステム、方法、装置を限定しようとするものではなく、かくして、広い意味において、装着者の身体に関する比較的固定された位置で１つ以上の止血帯を維持し得る任意の衣類の全部又は部分を含むものとする。例えば、“衣類”は、その広い意味において任意のシャツ、パンツ（ズボン）、ジャケット、ハーネス、ボディーフィットフレームワーク、サスペンションシステム、ロングジョンタイプの形態のもの、自転車タイプのもの又はエクササイズショーツ、コンプレッションショーツ又はシャツ、ウェットスーツ、スカイダイビング用衣類、ハズマットスーツ、予圧服、フライトスーツ、ハンティングアパレル、オーバーオール、カバーオール、特殊ユニフォーム又はスーツ、保護用カバー、及び又は、任意のその他の伝統的又は非伝統的衣類、準衣類（ｑｕａｓｉ−ｇａｒｍｅｎｔ）あるいはその他、が含まれ得る。
【００２１】
同様に、ここでは止血帯支持用衣類は本発明の止血帯システムに組み込まれるものとして説明されるが、本発明の止血帯支持用衣類は任意の既知の又はその後に開発された止血帯又は止血帯システムを組み込み及び使用することができる。
添付される図面にはパンツやシャツと一体化された止血帯システムの実施例が示されるが、止血帯システムは単独で又はここで提供されるような任意の衣類と組み合わせて使用可能である。また、任意の既知の又はそれ以降に開発された止血帯システムを、添付図面に示すパンツ又はシャツ又は本発明の機能構造部分を組み込んだ任意のその他衣類と組み合わせて使用できる。かくして、ここで例示される止血帯システム、パンツ、シャツは例示目的に過ぎないものであって、止血帯システム及び又は衣類はその他形式のものであり得る。
【００２２】
図面を参照するに、図１には本発明に従う止血帯システムの第１実施例の斜視図が示され、図２Ａ及び図２Ｂには抗ピンチプレートの第１実施例の斜視図及び側面図が夫々示され、図３では本発明に従うバーの第１実施例の平面図が示されている。
図１〜図３に示されるように、止血帯システム１００は少なくとも数本のバー１１０と、抗ピンチプレート１２０と、バンド１４０とを含んでいる。
各実施例において、バンド１４０は実質的に平坦なウェビング又はその他の、第１端部１４２及び第２端部１４４を有する材料の位置部を含む。各実施例において、バンド１４０の一方又は両方の端部はバンド１４０がバー１１０の孔１１６、１１６’、及び又は１１８から誤って外れないような構成とされる。
【００２３】
バンド１４０の幅は実施例の多くでは約１インチ（約２．５４ｃｍ）又はそれ以上であり、バンド１４０の幅は任意値とし得るが、狭すぎる場合はバンド１４０とユーザーの皮膚との間の所望の接触面における有益な効果が薄らぐ点を考慮すべきである。また、バンド１４０の幅が狭すぎると深刻な及び又は恒久的な組織損傷が生じ、止血帯システム１００の取り付け位置で四肢を切断せざるを得ない場合があり得る。
【００２４】
バンド１４０の幅が広過ぎるのは、バンド１４０が四肢に加え得る圧力量に関して望ましいとされる設計及び機能からすれば実用的ではない。
ある実施例ではバンド１４０は実質的に丸形、楕円形あるいはその他の断面形状を有する材料から形成され得、また、実質的に剛性で且つ非弾性の、又はバンド１４０の一部又は全体に沿って幾分弾性の材料から形成され得る。
【００２５】
バンド１４０は、少なくとも、取り付けようとする四肢の外周部分に沿って位置決めし且つバー１１０と係合させ得るに充分な長さを有する。各実施例において、バンド１４０は、止血帯システム装着者が止血帯システムを取り付けていない時の自由な動作を制限することなく衣類に組み込む又は容易に衣類の周囲に巻き付け得るようにするための追加の長さ部分を含む。
【００２６】
バー１１０は、第１端部と、中間部と、第２端部とを有する材料の細長部分を含む。ある実施例ではバー１１０は、バー１１０の中間部（例示した如く）又は端部近くに形成した１つ以上の孔１１６、１１６’及び又は１１８を有する。孔１１６、１１６’及び又は１１８の全体寸法は一般にバンド１４０の寸法形状によって決まる。孔１１６、１１６’及び又は１１８はバンド１４０を受け且つ各孔を貫通させるに充分な全体寸法を有するべきである。ある実施例では、孔１１６、１１６’及び又は１１８はバンド１４０を受け且つ大きな抵抗を受けることなく各孔を貫通させるに充分な全体寸法を有する。
【００２７】
各実施例では、バー１１０は第１端部及び第２端部の少なくとも一方から伸延する１つ以上の錠止用突起を含む。各実施例において、錠止用突起は第１端部及び第２端部の少なくとも一方から伸延する実質的に“Ｔ”字形の延長部を含む。例示したように、バー１１０は実質的に“Ｔ”字形の延長部１１１、１１２、１１３、１１４を第１端部及び第２端部の夫々の位置に含み得る。
“Ｔ”字形の延長部１１１、１１２、１１３及び又は１１４により、バー１１０は、バー１１０を回してバンド１４０が捩られて生じた圧力が加わると（以下に説明する如く）、抗ピンチプレート１２０の錠止用切り欠き１２１、１２２、１２３又は１２４によってずっと容易に、然るべく固定されるようになる。このように、バー１１０は、止血帯システム１００により適宜の圧力を加えると、“Ｔ”字形の延長部１１１、１１２、１１３又は１１４の少なくとも１つと抗ピンチプレート１２０の錠止用切り欠き１２１、１２２、１２３又は１２４との相互作用によって然るべく保持され得る。
【００２８】
各非限定的実施例において、バー１１０の“Ｔ”字形の延長部１１１、１１２、１１３又は１１４は、第１端部又は第２端部の近くに形成した少なくとも１つの交差切り込み、又は錠止用インデント（図示せず）により代替又は増補され得る。随意的に含まれる各錠止用インデントは錠止用切り欠き１２１、１２２、１２３又は１２４の少なくとも一部分をその内部に受け、かくしてバー１１０は、このバー１１０を回してバンド１４０を捩った時にバンド１４０から圧力が加わると然るべく固定される。このように、止血帯システムから適宜の圧力が加わるとバー１１０は錠止用インデントと、抗ピンチプレート１２０の錠止用切り欠き１２１、１２２、１２３又は１２４との相互作用により然るべく保持され得る。
【００２９】
各実施例において、バー１１０は、剛性又は半剛性のプラスチック又は重合複合物のような重合材料から形成される。各実施例において、バー１１０は射出成型される。あるいはバー１１０は、例えばポリマーのようなシート素材から熱形成され得る。更に他の実施例ではバー１１０は、金属シートを打ち抜き又は圧延して形成され得、又はアルミニューム、チタン、及び又はその他の金属のみならず、色々の合金並びにそれらの複合物、ガラス硬化ポリマー、ポリマー又は繊維強化金属、炭素繊維又はグラスファイバー複合物、熱硬化性樹脂及び熱軟化性樹脂と組み合わせた連続繊維、射出成型化合物ように使用する細断ガラス又は炭素繊維、積層ガラス又は炭素繊維、エポキシ積層板、織ったグラスファイバー積層板、溶媒含浸繊維、ポリエステル樹脂、エポキシ樹脂、フェノール樹脂、ポリイミド樹脂、シアネート樹脂、高強度プラスチックス、ナイロン、ガラス又はポリマー繊維強化プラスチックス、熱形成及び又は熱硬化性シート材料、及び又は上記材料の色々の組み合わせから形成され得る。バー１１０はオーバーモールド成型によって、又は多数の材料をコーティングしても形成され得る。かくして、バー１１０を形成するために使用する単数又は複数の材料は、バー１１０の所望の外観、可撓性及び機能性に基づいて設計上選択される。
【００３０】
バー１１０の縁部及び輪郭は、止血帯システム１００をその内側で使用するところのユーザー又は衣類に対するダメージが最小となるような形状とされ得る。各実施例において、バー１１０はその長さ部分全体が湾曲される。かくして、止血帯システムの不使用時にはバー１１０は、その湾曲部分が抗ピンチプレート１２０の湾曲形状に幾分追随し、また抗ピンチプレート１２０の湾曲部分が、止血帯システム１００を取り付ける四肢部分の湾曲形状に幾分追随するように位置決めされ得る。
止血帯システムの使用時はバー１１０はその湾曲部により、このバー１１０を取り付ける四肢の湾曲部分から離間され、かくして使用時にバー１１０が四肢と干渉せず且つ操作がずっと容易化されるようにその向きが変更される。あるいはバー１１０は、その長さ部分全体が実施的に平坦化され得る。
【００３１】
各実施例において、バー１１０はユーザーによる止血帯システム１００の操作を支援する追加のバー又はその他の機構との組み合わせ使用を可能にするための１つ以上の追加の孔を含み得る。各実施例において、バー１１０は、バー１１０の操作を支援する１つ以上の隆起部あるいはその他の表面形成部、ノブ、ホイール、ハンドル、あるいはその他の、固定又は折りたたみ式の延長部、を含み得る。
図示されるように、抗ピンチプレート１２０はバー１１０の下方に位置決めされ、例えば、ユーザーの皮膚、止血帯ウェブ、及び又は衣料繊維、の如き物体が、バンド１４０を捩るに従いコブ状になる又はバンド１４０内に撚り込まれるのを制限する又は防止するように作用する。詰め物衣類もまた、止血帯によって血流を停止させるに適正な圧力の入手を妨害する。
各実施例において、抗ピンチプレート１２０は材料の細長部材片から形成され、バー１１０よりもずっと大きく形成されるが、抗ピンチプレート１２０の寸法形状は、その所望の外観、可撓性、機能性に基づいて設計上選択される。
【００３２】
各実施例において、抗ピンチプレート１２０は、例えば、ウェブ材料又はゴムの部片、比較的安定した（非可撓性の）繊維片の様な可撓性材料又は半可撓性のゴム又はプラスチックシート素材、から形成され、あるいは、剛性又は半剛性のプラスチック、合成材料、又は、重合複合物組成物のような重合材料から形成され得る。各実施例において、抗ピンチプレート１２０は射出成型され、あるいは、例えばポリマーのようなシート素材から熱形成され得る。更に他の実施例において、抗ピンチプレート１２０は打ち抜き又は圧延形成され得、又はアルミニューム、チタン、及び又はその他の金属のみならず、色々の合金並びにそれらの複合物、ガラス硬化ポリマー、ポリマー又は繊維強化金属、炭素繊維又はグラスファイバー複合物、熱硬化性樹脂及び熱軟化性樹脂と組み合わせた連続繊維、射出成型化合物ように使用する細断ガラス又は炭素繊維、積層ガラス又は炭素繊維、エポキシ積層板、織ったグラスファイバー積層板、溶媒含浸繊維、ポリエステル樹脂、エポキシ樹脂、フェノール樹脂、ポリイミド樹脂、シアネート樹脂、高強度プラスチックス、ナイロン、ガラス又はポリマー繊維強化プラスチックス、熱形成及び又は熱硬化性シート材料、及び又は上記材料の色々の組み合わせから形成され得る。抗ピンチプレート１２０はオーバーモールド成型によって、又は多数の材料をコーティングしても形成され得る。かくして、抗ピンチプレート１２０を形成するために使用する単数又は複数の材料は、抗ピンチプレート１２０の所望の外観、可撓性及び機能性に基づいて設計上選択される。
【００３３】
各実施例において、抗ピンチプレート１２０は１つ以上の錠止用切り欠き１２１、１２２、１２３及び又は１２４を含み、各切り欠きは全体に抗ピンチプレート１２０の縁部の一部分に沿って形成される。錠止用切り欠き１２１、１２２、１２３及び又は１２４は、バー１１０を先に説明し且つここで図示されたように捕捉又は固定するための手段を提供する。錠止用切り欠き１２１、１２２、１２３及び又は１２４は、例えば、抗ピンチプレート１２０における隆起部又は切り欠き部分を含み得る。錠止用切り欠き１２１、１２２、１２３及び又は１２４が、バー１１０の一部を固定、捕捉又は保持し得る任意の適宜の切り欠き、穴、孔、ループその他の要素を含み得るものとする。各実施例において、錠止用切り欠き１２１、１２２、１２３及び又は１２４は、抗ピンチプレート１２０に取り付けた又はカップリングした、コードあるいはその他の、実質的に弾性の又は非弾性のコード又はバンド材料を含み得る。
【００３４】
ある実施例において、１つ以上のバー錠止用インデント又は“Ｔ”字形延長部１１１、１１２、１１３及び又は１１４が、適宜の縁部、切り欠き、穴、孔、ループその他の、抗ピンチプレート１２０の要素に沿って然るべく錠止され得る（以下に説明する如く）。
バー１１０に関し、抗ピンチプレート１２０の縁部及び輪郭は、ユーザー又は衣類に対するダメージを最小化するように形状付けされ得る。
各実施例において、“Ｔ”字形延長部１１１、１１２、１１３及び又は１１４は、止血帯システム１００の不使用時には錠止用切り欠き１２１、１２２、１２３及び又は１２４によってバー１１０が抗ピンチプレート１２０に、又はその内部に釈放自在に固定され得るように形成される。あるいは抗ピンチプレート１２０は、止血帯システム１００の不使用時にバー１１０を抗ピンチプレート１２０に又はその内部に釈放自在に固定し得るように形成した成型部品を含み得る。
【００３５】
抗ピンチプレート１２０はバンド受け用の１つ以上の孔１２６をも有し、各孔は、バンド１４０を受け且つ貫かせ得るように形状付けされる。バンド受け用の各孔１２６により、特には止血帯システム１００の使用中に、抗ピンチプレート１２０はバンド１４０に関する相対位置に維持され得るようになる。
各実施例において、止血帯システム１００の不使用時にはバー１１０は、抗ピンチプレート１２０の“Ｔ”字形延長部１１１、１１２、１１３、１１４と、錠止用切り欠き１２１、１２２、１２３、１２４との相互作用によって抗ピンチプレート１２０に釈放自在に固定又は取り付け得る。あるいはバー１１０は、例えば、１つ以上の雄雌のスナップ釈放式バックル、１つ以上のボタン、スナップ、あるいはその他の締め具、蓋、Ｖｅｌｃｒｏ（商標名）のようなフックアンドループ式ファスナ又はその後に開発された釈放自在式の取り付け手段を介して抗ピンチプレート１２０に釈放自在に固定又は取り付けられる。
【００３６】
各実施例において、抗ピンチプレート１２０は、抗ピンチプレート１２０の縫い付けによる取り付けを助成する縫い付け部分１２８を随意的に含み得る。縫い付け部分１２８は、例えば、縫い付けに際して抗ピンチプレート１２０を容易に刺し通せるように薄くした抗ピンチプレート１２０の一部分を含み得る。
各実施例において、バンド１４０の各端部は抗ピンチプレート１２０を貫いて又はその周囲を伸延する。バンド１４０の一端はバー１１０の中間部に固定され、他端は同じくバー１１０の中間部に固定される。あるいはバンド１４０の他端は、バンド１４０の自由端を引いたときにバンド１４０が締め付けられるようにバー１１０の孔１１６、１１６’及び又は１１８のどれかに通しておいても良い。
【００３７】
使用する孔の幾何形状により、孔１１６、１１６’及び又は１１８は、バンド１４０をある長さ引いたときに単数又は複数の孔によってバンド１４０が固定されて然るべく保持され、かくして再度把持され且つ引張されるようにバンド１４０を固定し得る。従って、バンド１４０は、一度には引けない長さを操作当事者が引くことによってではなくむしろ、ステップ的又は段階的に有効裡に締め付け得る。
バー１１０の孔１１６、１１６’及び又は１１８の幾何学形状及びバー１１０を操作することにより、バー１１０はある方向に引張され、バンド１４０は別の方向に引張され、かくして、バンド１４０は一度に比較的長い長さを引くことによってではなくむしろ段階的に調整され得るので、限られた又は狭い環境下に調節され得る。
【００３８】
図１に更に例示されるように、止血帯システム１００は随意的なパッド１３０をも含み得る。各実施例において、随意的なパッド１３０は繊維、ゴム、又は、例えばネオプレンのようなゴム加工品を含み得る。パッド１３０を使用する場合、パッド１３０は抗ピンチプレート１２０とユーザーの身体、又は衣類との間の緩衝性を高めるよう、抗ピンチプレート１２０よりも下方（バンド１４０の内部で）に位置付けられる。
随意的なパッド１３０は、パッド１３０を抗ピンチプレート１２０に取り付ける又はカップリングさせることによって、あるいはパッド１３０にバンド１４０を貫かせ得るようにする各孔の摩擦的相互作用により相対位置に然るべく維持され得る。
【００３９】
図４Ａ〜図４Ｅには、止血帯システム１００の取り付け例が示される。図４Ａ〜図４Ｃに示すように、止血帯システム１００は、その使用に際して先ず四肢（図示せず）の周囲に配置し、バー１１０を抗ピンチプレート１２０から外し、バー１１０と抗ピンチプレート１２０との間にバンド１４０が来るように再配置される。各実施例において、バー１１０の湾曲部は抗ピンチプレート１２０の湾曲部を実質的に追随し、バー１１０はこのバー１１０の湾曲部が抗ピンチプレート１２０の湾曲部とは逆向きになるように位置決めされる。
【００４０】
バー１１０を再配置した後、図４Ｃに例示するようにバー１１０を捩る又は回す。バー１１０が捩られ又は回されるに従い、バンド１４０のたるみが無くなり、バンド１４０は四肢の周囲に締め付けられ、かくして圧力を創出する。バー１１０を更に捩るとバンド１４０により追加の圧力が創出される。
図４Ｄ又は図４Ｅに例示されるように、四肢に適宜の圧力を加えた後、バー錠止用のインデント又は“Ｔ”字形延長部１１１、１１２、１１３又は１１４を抗ピンチプレート１２０の錠止用切り欠き１２１、１２２、１２３又は１２４により然るべく保持し得る。
圧力を釈放したい場合は、バー錠止用のインデント又は“Ｔ”字形延長部１１１、１１２、１１３又は１１４を錠止用切り欠き１２１、１２２、１２３又は１２４から外し、止血帯システム１００全体を取り外せば良い。
【００４１】
ある実施例では、錠止用切り欠き１２１、１２２、１２３又は１２４を含まない場合、バー錠止用のインデント又は“Ｔ”字形延長部を、抗ピンチプレート１２０の縁部、切り欠き、穴、孔、ループあるいはその他の要素に沿った位置に錠止させ得る。
バンド１４０の余分な弛みを取れるようにバンド１４０の第２端部１４４を自由に引張できるようにした場合、バー１１０を捩ってバンド１４０を締め付ける前にバンド１４０のこの自由端を引張（バー１１０の再配置の前後の何れか）すれば余分な弛みを少なくともある程度取ることができる。このように、バンド１４０を締め付けて必要圧力を発生させるにはバー１１０を数回捩る必要がある。
【００４２】
各実施例では、バー１１０は蝶着されたバー延長部を含み、このバー延長部はバー１１０の一端から伸延して、止血帯システムの使用時に追加的なてこ作用を提供する。
図５には本発明に従う止血帯システムの第２実施例の斜視図が示される。図５に示すように、止血帯システム２００は抗ピンチプレート２２０と、バンド２４０とを含んでいる。
これらの各要素は、止血帯システム１００を参照して先に説明したように、抗ピンチプレート１２０及びバンド１４０に相当し且つ同様に動作する。
しかしながら、図５に示すように、バンド２４０は、連結して連続バンド２４０を形成するバンドを含む。また、一体のバー１１０は、別個の、取り付けた又は取り付けないバー２１０によって代替される。
【００４３】
止血帯システム２００は、その使用に際し先ず四肢の周囲に配置し、次いでバー２１０をバンド２４０と抗ピンチプレート２２０との間に配置する。
バー２１０を位置決めした後、バー２１０を捩る又は回してバンド２４０の弛みを取り、バンド２４０を四肢の周囲に締め付けて圧力を生じさせる。バー２１０を捩るに従い、バンド２４０により追加の圧力が発生する。
【００４４】
四肢への圧力が適宜量となった時、バー２１０を抗ピンチプレート２２０の錠止用切り欠き２２１、２２２、２２３又は２２４又は、適宜の縁部、切り欠き、穴、孔、ループ、あるいはその他の要素により然るべく保持され得る。錠止用バー２１０のような単純なバーを使用する場合、錠止用切り欠き２２１、２２２、２２３又は２２４はこれらの各切り欠きがバーを然るべく保持し得るように変更し得る。例えば、錠止用切り欠き２２１、２２２、２２３又は２２４の１つ以上が、フック、突起、インデント、切り欠きあるいはその他の、バーを然るべく保持し得る全体形状を有するように形成し得る。
【００４５】
圧力を釈放するとバー２１０が錠止用切り欠き２２１、２２２、２２３又は２２４から外れ、かくして止血帯システム２００全体が外れることが望ましい。
図６には本発明に従う止血帯システムの第３実施例の斜視図が示される。図６に示すように、止血帯システム３００はバー３１０と、抗ピンチプレート３２０と、バンド３４０とを含んでいる。
バー３１０と、抗ピンチプレート３２０とは、止血帯システム２００を参照して先に説明したようなバー２１０及び抗ピンチプレート２２０に相当し且つ動作する。
【００４６】
しかしながら、図６に示すようにバンド３４０は、バックル３５０に連結した第１端部と、バックル３５０に単にループ状に通して、バンド３４０の余分な弛みを取れるように引っ張る自由端とした第２端部とを含む。
かくして、止血帯システム３００の使用時に、先ずバンド３４０の自由端を引くことで、バー３１０を捩って（図５を参照して先に説明したように）バンド３４０を締め付ける前にバンド３４０の余分な弛みを少なくともある程度取ることができる。このように、バンド３４０を締め付けて必要量の圧力を発生させるにはバー３１０を数回回転させる必要がある。
【００４７】
図７には本発明に従う止血帯システムの第４実施例の斜視図が示される。図７に示すように、止血帯システム４００は、バー４１０と、抗ピンチプレート４２０と、バンド４４０とを含む。
バー４１０と抗ピンチプレート４２０とは、止血帯システム２００及び又は３００を参照して先に説明したようなバー２１０及び又は３１０及び抗ピンチプレート２２０及び又は３２０に相当し且つ動作する。
しかしながら、図７では、バンド４４０は第１バンド４４２及び第２バンド４４４を含んでおり、第１及び第２の各バンドは離間した固定位置４４５で相互に固定され、それら固定位置４４５間にはトンネルセグメント４４３が形成される。各トンネルセグメントはバンド４４０の長手方向とは実質的に直交する方向に形成される。
【００４８】
かくして、止血帯システム４００の使用に際して、バー４１０は、このバー４１０を捩ってバンド４４０を締め付ける（先に説明したように）前にバンド４４０のトンネルセグメント内に配置され得る。
バンド４４０は、連結した連続バンド（止血帯システム２００を参照して先に説明したような）か、又は第１端部をバックル３５０に連結し、第２端部をバックル３５０にループ状に通してその自由端を引っ張れるような（止血帯システム３００を参照して先に説明したように）形態で形成し得る。
【００４９】
図８Ａ〜図８Ｄには、本発明に従う止血帯システムの第５実施例の取り付け例が示される。図８Ａ〜図８Ｃに例示されるように、本発明のこの第５実施例には、バー１１０、抗ピンチプレート５３０、バンド１４０の少なくとも幾つかが含まれる。
バー１１０及びバンド１４０は止血帯システム１００を参照して先に説明したようなバー１１０及びバンド１４０に相当し且つ同様に動作し、又はバー１１０及びバンド１４０は止血帯システム２００、３００及び又は４００を参照して先に説明したような、バー２１０、３１０又は４１０及び又はバンド２４０、３４０又は４４０に相当し得又は同様に動作し得るものである。
【００５０】
しかしながら、図８Ａ〜図８Ｃに示すように、抗ピンチプレート１２０、２２０、３２０、４２０（止血帯システム１００、２００、３００及び又は４００を参照して夫々例示したような）は抗ピンチプレート５３０と代替され得る。更に、抗ピンチプレート１２０の錠止用切り欠き１２１、１２２、１２３又は１２４（又は抗ピンチプレート２２０、３２０及び又は４２０の類似の錠止用切り欠き）の機能は安定化用コード５２１及び５２２によって本来代替され得る。
各実施例において、抗ピンチプレート５３０は、繊維、天然材料、合成材料、ゴム加工品、あるいはその他の可撓性材料、例えば、ネオプレンのようなものを含み得、バー１１０、バンド１４０、そしてユーザーの身体又は衣類との間の緩衝性を高める。
【００５１】
抗ピンチプレート５３０はバンド１４０を抗ピンチプレート５３０に通せるようにする各孔の摩擦的な相互作用により相対位置に維持され得る。
安定化用コード５２１及び５２２は抗ピンチプレート５３０を貫通してまたはその近くに固定され、一カ所以上で固定され得、本明細書で説明され且つ図示されたようにバー１１０を捕捉又は固定するための手段を提供する。安定化用コード５２１及び５２２は、例えば、コード５５０あるいはその他の、実質的に弾性の又は非弾性のコード又はバンド材料を含み得る。安定化用コード５２１及び５２２は任意の適宜の切り欠き、穴、孔、ループあるいはその他の、バー１１０の一部を固定、捕捉又は保持可能な要素をも含み得る。
【００５２】
各実施例において、バー１１０の“Ｔ”字形延長部１１１、１１２、１１３及び又は１１４は、止血帯システムの非使用時において、この“Ｔ”字形延長部と安定化用コード５２１及び５２２との相互作用を介してバー１１０を抗ピンチプレート５３０に釈放自在に固定し得るように形成される。あるいは、抗ピンチプレート５３０は、止血帯システムの非使用時において、バー１１０を抗ピンチプレート５３０に、又は抗ピンチプレート内に釈放自在に固定できるように形成した追加の構成部品を含み得る。
図８Ａ〜図８Ｃに例示したように、止血帯システムを使用する際、先ず、バンド１４０を四肢（図示せず）の周囲に配置し、抗ピンチプレート５３０からバー１１０を取り外し、次いで、バンド１４０がバー１１０と抗ピンチプレート５３０との間に来るようにバー１１０を再配置する。バー１１０の湾曲部が抗ピンチプレート５３０の湾曲部を実質的に追随する各実施例において、バー１１０は、その湾曲部が抗ピンチプレート５３０の湾曲部と逆向きになるように再配置される。
【００５３】
次いで、再配置したバー１１０を図８Ｃに例示したように捩る又は回転させる。バー１１０が捩られる又は回転されるに従い、バンド１４０の弛みが取れ、バンドは四肢の周囲にきつく締着されて圧力を発生する。バー１１０を引き続き捩るとバンド１４０により追加的な圧力が創出される。
図８Ｄに例示するように、四肢への圧力が適正値になったとき、抗ピンチプレート５３０の安定化用コード５２１及び５２２の少なくとも一方との相互作用により、バー１１０のバー錠止用インデント又は“Ｔ”字形延長部１１１、１１２、１１３又は１１４を然るべく保持することができる。
【００５４】
圧力を釈放すると、バー錠止用インデント又は“Ｔ”字形延長部１１１、１１２、１１３又は１１４を安定化用コード５２１及び又は５２２から外され、かくして止血帯システムをリバース又を全て取り外すことができる。
図９には、ズボン１１００に組み込んだ実施例における、本発明に従う止血帯システム１００が示される。ズボン１１００は例示上のものであり、その他形式のものであって良い。例示した止血帯システム１００は専用型のものであるが、ズボン１１００に組み込んだ止血帯システム１００は、本発明に従う止血帯システムの実施例に関して説明される任意の機能構造部分を使用できる。
【００５５】
図９に示すように、ズボン１１００は、このズボン１１００に形成した関連するアクセス孔を各々有する４つの内蔵型内部止血帯システムを随意的に含んでいる。各非限定的実施例において、アクセス孔はフラップ１１５５、１１５５’、１１５７又は１１５７’によって覆われ又は隠され、このフラップが止血帯システムをその非使用時の間保護し且つズボン１１００の外観上のスムーズさを維持し、他方、止血帯使用時には素早いアクセスを可能とする。
内側に埋設する止血帯システム及びフラップの数や配置はズボン１１００の所望の外観及び又は機能に基づいて設計上選択される。フラップは、例えば図１２に例示されるような、ジッパー付きのアクセス孔１２５７の様な、シール自在及び又は再シール自在のアクセス孔を表し得るものとする。
【００５６】
各実施例において、各フラップは、例えばフックアンドループ式ファスナーあるいはその他の、素早く釈放できる好適なコネクターによってズボン１１００に釈放自在に固定される。
各非限定的実施例において、フラップ１１５５及び１１５５’は、内側の止血帯システム１００及び１００’の止血用のバンド１４０がズボン１１００の脚部の上方部分近くに配置されるように位置付けられ、フラップ１１５７及び１１５７’は、内側の止血帯システムの、フラップ１１５７及び１１５７’に関連する止血用のバンド１４０がズボン１１００の脚部の下方部分近くに配置されるように位置付けられる。
各非限定的実施例において、フラップ１１５５及び１１５５’は、内側の止血帯システム１００及び１００’の止血用のバンド１４０が鼠径部皮線（ｉｎｇｕｉｎａｌ  ｃｒｅａｓｅ）の近くにセンタリングされるように位置付けられ、フラップ１１５７及び１１５７’は、内側の止血帯システムの、フラップ１１５７及び１１５７’に関連する止血用のバンド１４０が脛骨粗面の近くにセンタリングされるように位置付けられる。
【００５７】
更に他の非限定的実施例において、フラップ１１５５及び１１５５’は、内側の止血帯システム１００及び１００’の止血用のバンド１４０が鼠径部皮線から約２ｃｍの距離の位置にセンタリングされるように位置付けられ、フラップ１１５７及び１１５７’は、内側の止血帯システムの、フラップ１１５７及び１１５７’に関連する止血用のバンド１４０が脛骨粗面から約２ｃｍの距離にセンタリングされるように位置付けられる。
各非限定的実施例において、フラップ１１５５及び１１５５’は、ズボン１１００の主ポケットの少なくとも一部分を含む。かくして、止血帯システム１００又は１００’にアクセスする場合は、ズボン１１００の主ポケットの一部分をズボン１１００の主胴部から外してアクセスを容易化させる。
【００５８】
図９に示すように、止血帯システムのバンド１４０はズボン１１００に形成したチャンネル又はトンネルの内部に位置決め又は取り付けられる。このように、バンド１４０の少なくとも一部分は、ユーザーのズボン１１００及び又は身体に関する所望の位置に止血帯システムが維持されるようにしてズボン１１００の内側表面近くに固定される。また、ズボン１１００の繊維は、バンド１４０を衣類の内部に位置決めしてバンド１４０の一体性を保護する手段であり得る。
バンド１４０は任意の好適な態様下にズボン１１００の内側に固定し得、そうした態様には、縫い付け、接着、又は、バンド１４０よりもやや大きいチャンネル、トンネル又は一連のループが形成されるような成型、が含まれ得る。形成したチャンネル又はトンネルは、ズボン１１００の内側表面の周囲方向に沿った全体または一部分のみに形成され得る。
【００５９】
各実施例において、バンド１４０は、止血帯システムを締め付け又は緩めたときにチャンネル又はトンネル内で比較的自由に動かせるよう、バンド１４０の表面がズボン１１００に隣り合うように、しかしズボンとの相互作用によって顕著には妨害されないようにチャンネル又はトンネル内に配置される。
各実施例において、抗ピンチプレート１２０（又は抗ピンチプレート２２０、３２０、４２０又は抗ピンチプレート５３０）はズボン１１００の外側又は内側の各部分に取り付け又は連結され得る。抗ピンチプレートは、抗ピンチプレート全体がズボン１１００に取り付けられ又は連結されるように取り付け又は連結され得、あるいは抗ピンチプレートの選択部分をズボン１１００に取り付け又は連結できる。
【００６０】
図１０に例示するように、ズボン１１００の下方部分１１５０に組み込んだ止血帯システムの実施例を使用するに際し、止血帯システム１００にアクセスできるよう、フラップ１１５７をズボン１１００の本体部分から持ち上げるようにして分離させる。止血帯システム１００にアクセスした後、止血帯システム１００をここで説明するように取り付け及び又は取り外される。
図１２には、本発明に従う、シャツ１２００に形成したチャンネル又はトンネル内に位置決め又は取り付けた止血帯システム１００が示される。図１２に例示するように、シャツ１２００は長袖のボタンダウン型のものである。シャツ１２００は例示目的のみに示されるものであり、その他の形式のものであって良い。例えば、シャツ１２００は袖の短いタイプのもので、腕の部分に上方フラップ１２５０と、単独の止血帯システムを埋め込んだものであり得る。
【００６１】
図１２に示すように、フラップ１２５０は、止血帯システム１００のバンド１４０がシャツ１２００の腕部分の上方部分近くに配置されるように位置付けられ、ジッパー付きのアクセス孔１２５７は、このジッパー付きのアクセス孔１２５７と関連する止血帯システムのバンド１４０がシャツ１２００の腕部分の下方部分近くに配置されるように位置付けされる。
【００６２】
各非限定的実施例において、フラップ１２５０は、止血帯システム１００のバンド１４０が二頭筋よりも高い位置近くにセンタリングされるように配置され、ジッパー付きのアクセス孔１２５７は、内部の止血帯システムの、このジッパー付きのアクセス孔１２５７と関連するバンド１４０が前腕部の位置近くにセンタリングされるように配置される。
各非限定的実施例において、フラップ１２５０は、止血帯システム１００及び１００’のバンド１４０が二頭筋から約２ｃｍの距離の位置近くにセンタリングされるように配置され、ジッパー付きのアクセス孔１２５７は、内部の止血帯システムの、このジッパー付きのアクセス孔１２５７と関連するバンド１４０が、装着者の肘よりも約２ｃｍ下方の位置近くにセンタリングされるように配置される。
【００６３】
各実施例において、例示したズボン１１００やシャツ１２００に埋設した止血帯システムは、図１１に示すように、出血を制御するための圧力を人体に加え得る各位置の近くに位置決めされるが、止血帯システムの数及び配置は、そうした止血帯システムを組み込む又は埋め込む特定の衣類の所望される外観及び又は機能性に基づいて設計上選択される。
【００６４】
図１３には、本発明に従う止血帯システムの特定構成部品の第６実施例の斜視図が示される。図１３に示すように、この第６実施例の止血帯システムは、バー６１０及び抗ピンチプレート６２０の少なくとも幾つかを含み、バー６１０は、その第１端部において実質的に“Ｔ”字形の延長部６１１及び６１２を、また第２端部において同６１３及び６１４を夫々含み、且つ孔６１６、６１６’、６１８を含んでいる。抗ピンチプレート６２０は錠止用切り欠き６２１、６２２、６２３又は６２４と、１つ以上のバンド受け用孔６２６と、を含み、また随意的には縫い付け自在部分６２８を含み得る。
【００６５】
構成部品であるバー６１０及び抗ピンチプレート６２０は、止血帯システム１００を参照して先に説明したようなバー１１０及びバンド１４０に相当し且つ同様に動作する。例えば、各実施例において、錠止用切り欠き６２１、６２２、６２３及び又は６２４は、コードあるいはその他の、抗ピンチプレート６２０に取り付け又は連結される実質的に弾性又は非弾性のコードあるいはバンド用材料を含み得る。
あるいは、バー１００及びバンド１４０は、先に説明した如く、バー２１０、３１０、４１０又は５１０及び又は抗ピンチプレート又はパッド２２０、３２０、４２０又は５３０に相当し又は同様に動作する。
【００６６】
例えば、抗ピンチプレート６２０は先に説明した如くその機能及び動作が抗ピンチプレート５３０と類似の抗ピンチプレートで代替または増補され得る。各実施例において、抗ピンチプレートを安定化用コード５２１、５２２を参照して先に説明したように、一つ以上の安定化用コードと共に使用できる。
然し乍ら、図１３に示すように、抗ピンチプレート６２０は、バンド（図示せず）が、この抗ピンチプレート６２０の長手方向軸線と直交する態様下に形成される。また、バー６１０は、バンド（図示せず）がバー６１０の長手方向軸線と直交する態様下に配向されるようにも形成される。
【００６７】
このように、止血帯システムの第６実施例は、他の実施例の止血帯システムでは四肢の周囲に沿ってバンドを配置できない場合に用い得るものである。例えば、止血帯システムの本実施例は手首又は足首のような部位の近く又は四肢の周囲部分が比較的小さい場合に使用できる。
図１４には、本発明の止血帯システムの更に他の実施例の斜視図が示される。図１４に示すように、抗ピンチプレート１４３０は、バンド１４４０が、このバンド１４４０の内側表面が抗ピンチプレート１４３０の内側表面に隣り合う状態でその図で左側に示す端部が孔１４２６に挿通されるような構成に形成される。次いで、バンド１４４０の前記左側縁部を孔１４２７に通し、この左側縁部の内側表面を、この左側縁部に近い内側表面部分に隣り合って配置させる。
【００６８】
次いで、バンド１４４０を、バンド１４４０の左側縁部近くにループ１４７５が形成されるような任意の好適な態様下に部分１４７４に固定し、かくして、ループ１４７５と、孔１４２６及び１４２７との相互作用を介して抗ピンチプレート１４３０を固定する。バンド１４４０の外側表面の、止血帯システムをその部分１４７４に固定した位置に隣り合う部分には、止血帯システム一時固定用手段１４７６（フックアンドループ式ファスナの如き）の一端が収納される。バンド１４４０の、このバンドの図で右側に示す縁部近くの内側表面に沿って、合致する一時固定用手段１４７６が配置される。かくして、前記バンド１４４０の右側縁部を、孔１４２６に通す前は当該右側縁部が抗ピンチプレート１４３０の内側表面に隣り合う状態で孔に通し、孔に通した後はバンド１４４０の右側縁部の内側表面が一時固定用手段１４７６に重ねるようにすることで、一時固定用手段１４７６を止血帯システムを所望通りに締め付け、固定し、釈放し及び又は再固定するために使用できる。
【００６９】
図１５には本発明の止血帯システムの更に他の実施例が示される。図１５に示すように、バンド１５４０は図で左側に示すその縁部の内側表面が抗ピンチプレート１５３０の外側表面を覆うようにして通される。次いで、バンド１５４０の左側縁部は、この左側縁部の内側表面が抗ピンチプレート１５３０の内側表面に隣り合い且つバンド１５４０の内側表面の別の部分と合致し且つ重なるまで、孔１５２７に挿通される。各内側表面は互いに合致した時点で任意の好適な態様下に部分１５７４に固定され、かくして、抗ピンチプレート１５３０の約半分を格納するループが形成される。
【００７０】
バンド１５４０の右側縁部の外側表面近くには一時固定用システム１５７６（フックアンドループ式ファスナの如き）の、対向する２つの端部が配置される。各実施例において止血帯システムは、バンド１５４０の右側縁部を孔１５２６を通して送り、孔１５２６に通したバンド１５４０の右側縁部の外側表面が抗ピンチプレート１５３０の外側表面の位置で隣り合うようにすることで機能するようになる。バンド１５４０の右側縁部の外側表面は全体に抗ピンチプレート１５３０の右側縁部を越えて送られ、バンド１５４０の、必要時に止血帯システムを固定する目的で一時固定用手段１５７６を対向配置した外側表面と重なる。
【００７１】
図１６には本発明の止血帯システムの更に他の実施例の斜視図が示される。図１６に示すように、抗ピンチプレート１６３０は図１４及び図１５のそれと類似態様下に形成されているが、本実施例では孔１６２７と１６２６との間に追加の孔１６２８が形成されている。
各実施例において、孔１６２８はバンド１６４０の内側表面と外側表面との間の距離の約２倍の幅を有し、バンド１６４０の２つの部分を顕著な抵抗を殆ど又は全く与えることなく同時に通過させることができる。図１４を参照して先に説明したように、この場合にも、ベルト１６４０の端部を孔１６２７及び１６２８に通すことでループが創出される。
【００７２】
図１４に例示した止血帯システムとは異なり、バンド１６４０の右側縁部は、バンド１６４０の右側縁部の外側表面が抗ピンチプレート１６３０の外側表面に隣り合うようにして孔１６２８を通して送られる。次いで、バンド１６４０の右側縁部は、バンド１６４０の外側表面が当該外側表面に隣り合い且つバンド１６４０の内側表面が抗ピンチプレート１６３０の内側表面に隣り合うようにして孔１６２６を通して送られる。バンド１６４０の右側縁部の外側表面の重なり部分上の、孔１６２８及び１６２６に通した部分の前後には、バンド１６４０の重なり部分を必要に応じて締め付け、固定、釈放させ得るように、一時固定用手段１５７６と協動する部分が配置される。
【００７３】
以上、本発明を実施例を参照して説明したが、本発明の内で種々の変更をなし得ることを理解されたい。
【符号の説明】
【００７４】
１００  止血帯システム
１１０  バー
１１１  延長部
１１６  孔
１２０  抗ピンチプレート
１２１  錠止用切り欠き
１２６  孔
１３０  パッド
１４０  バンド
１４２  第１端部
１４４  第２端部
２００  止血帯システム
２１０  錠止用バー
２２０  抗ピンチプレート
２２１  錠止用切り欠き
２４０  連続バンド
３００  止血帯システム
３１０  バー
３２０  抗ピンチプレート
３４０  バンド
３５０  バックル
４００  止血帯システム
４１０  バー
４２０  抗ピンチプレート
４４０  バンド
４４２  第１バンド
４４３  トンネルセグメント
４４４  第２バンド
４４５  固定位置
５２１  安定化用コード
５３０  抗ピンチプレート
５５０  コード
６１０  バー
６１１  延長部
６２０  抗ピンチプレート
６２１  錠止用切り欠き
６２６  バンド受け用孔
６２８  縫い付け自在部分
【図１】
2010509025.tif 000003
【図２Ａ】
2010509025.tif 000004
【図２Ｂ】
2010509025.tif 000005
【図３】
2010509025.tif 000006
【図４Ａ】
2010509025.tif 000007
【図４Ｂ】
2010509025.tif 000008
【図４Ｃ】
2010509025.tif 000009
【図４Ｄ】
2010509025.tif 000010
【図４Ｅ】
2010509025.tif 000011
【図５】
2010509025.tif 000012
【図６】
2010509025.tif 000013
【図７】
2010509025.tif 000014
【図８Ａ】
2010509025.tif 000015
【図８Ｂ】
2010509025.tif 000016
【図８Ｃ】
2010509025.tif 000017
【図８Ｄ】
2010509025.tif 000018
【図９】
2010509025.tif 000019
【図１０】
2010509025.tif 000020
【図１１】
2010509025.tif 000021
【図１２】
2010509025.tif 000022
【図１３】
2010509025.tif 000023
【図１４】
2010509025.tif 000024
【図１５】
2010509025.tif 000025
【図１６】
2010509025.tif 000026
【国際調査報告】
2010509025.tif 000027